【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
複数の媒体アクセス制御（ＭＡＣ）プロトコルデータユニット（ＭＰＤＵ）を集計するためのシグナリングを規定する集計データユニットフォーマットに基づいて、入力された送信を処理する無線通信デバイスに対する送信用のデータを取得する段階と、
前記データと前記集計データユニットフォーマットとに基づいて、ゼロより大きい長さを持ち、集計ＭＰＤＵ（Ａ−ＭＰＤＵ）のサブフレーム内に常駐している１つのＭＰＤＵを含む前記Ａ−ＭＰＤＵを生成する段階と、
前記１つのＭＰＤＵが、前記Ａ−ＭＰＤＵ内でゼロより大きい長さを持つ唯一のＭＰＤＵであることを示し、前記無線通信デバイスに、対応するブロック承認の同意なしに前記Ａ−ＭＰＤＵを受け付けさせるよう、前記サブフレームのデリミタを設定する段階と、
物理フレーム（ＰＨＹフレーム）に、前記Ａ−ＭＰＤＵを含める段階と、
前記ＰＨＹフレームを前記無線通信デバイスに送信する段階と
を備える方法。
【請求項２】
前記デリミタを設定する段階は、フレームの最後（ＥＯＦ）フィールドを１に設定する段階を有する、請求項１に記載の方法。
【請求項３】
前記データを取得する段階は、管理データを受信する段階を有し、
前記Ａ−ＭＰＤＵは、前記無線通信デバイスからの承認を必要とする管理フレームを示す、
請求項１又は２に記載の方法。
【請求項４】
前記無線通信デバイスは、第１の無線通信デバイスであり、
前記Ａ−ＭＰＤＵは、第１のＡ−ＭＰＤＵであり、
前記データを取得する段階は、第２のＡ−ＭＰＤＵで第２の無線通信デバイスに対する送信用のデータを取得する段階を有し、
前記ＰＨＹフレームを送信する段階は、前記ＰＨＹフレームで、同時にそれぞれ、前記第１のＡ−ＭＰＤＵを前記第１の無線通信デバイスに提供し、前記第２のＡ−ＭＰＤＵを前記第２の無線通信デバイスに提供する第１の空間ステアリングされたフレームおよび第２の空間ステアリングされたフレームを送信する段階を有し、
前記第１の空間ステアリングされたフレームの最後および前記第２の空間ステアリングされたフレームの最後は、同じ長さを有するように位置合わせされている請求項１から３のいずれか一項に記載の方法。
【請求項５】
前記第１の無線通信デバイスに、前記第１のＡ−ＭＰＤＵに呼応して第１の承認を送信させる段階と、
前記第２の無線通信デバイスに、前記第２のＡ−ＭＰＤＵに呼応して第２の承認を送信させる段階と
を備え、
前記第２の承認は、前記第２の無線通信デバイスとの間で構築されたブロック承認同意に従うブロック承認である、請求項４に記載の方法。
【請求項６】
対応するブロック承認同意がない場合には、１つのＡ−ＭＰＤＵを有するように前記ＰＨＹフレームを制限する段階を備え、
前記第１の承認は、前記ＰＨＹフレームが終わった後の予め定められた期間に基づいて送信され、
前記ブロック承認は、明示的なポーリングに基づいて送信される、請求項５に記載の方法。
【請求項７】
第３の無線通信デバイス用に、対応するブロック承認同意なしに、前記第３の無線通信デバイス用の１つのＭＰＤＵを含む追加のＡ−ＭＰＤＵを前記ＰＨＹフレーム内に含める段階と、
前記第３の無線通信デバイスに、前記第３の無線通信デバイス用の前記追加のＡ−ＭＰＤＵに呼応して、第３の承認を送信させる段階と
を備え、
前記第１の無線通信デバイスに前記第１の承認を送信させる段階は、第１の明示的なポーリングを前記第１の無線通信デバイスに送信する段階を有し、
前記第３の無線通信デバイスに前記第３の承認を送信させる段階は、第２の明示的なポーリングを前記第３の無線通信デバイスに送信する段階を有する、請求項５又は６に記載の方法。
【請求項８】
前記第１の空間ステアリングされたフレームは、第１の非常に高いスループットの（ＶＨＴ）データセグメントを含み、
前記第２の空間ステアリングされたフレームは、第２の非常に高いスループットの（ＶＨＴ）データセグメントを含む、請求項４から７のいずれか一項に記載の方法。
【請求項９】
前記サブフレームに、３２ビットの境界に基づくパッドを選択的に含める段階と、
前記Ａ−ＭＰＤＵ内の前記サブフレームの後に１以上のパディングデリミタを選択的に含める段階と、
前記Ａ−ＭＰＤＵに、長さが４オクテット未満の整数オクテットであるＭＡＣパッドを選択的に含める段階と
を備え、
前記１以上のパディングデリミタのそれぞれは、４オクテット長であり、ＭＰＤＵ長がゼロであることを示す、請求項１から８のいずれか一項に記載の方法。
【請求項１０】
無線通信インタフェースにアクセスする回路と、
プロセッサエレクトロニクスと
を備え、
前記プロセッサエレクトロニクスは、
複数の媒体アクセス制御（ＭＡＣ）プロトコルデータユニット（ＭＰＤＵ）を集計するためのデータと集計データユニットフォーマットとに基づいて、ゼロより大きい長さを持ち、集計ＭＰＤＵ（Ａ−ＭＰＤＵ）のサブフレーム内に常駐している１つのＭＰＤＵを含む前記Ａ−ＭＰＤＵを生成し、
前記１つのＭＰＤＵが、前記Ａ−ＭＰＤＵ内でゼロより大きい長さを持つ唯一のＭＰＤＵであることを示し、無線通信デバイスに、対応するブロック承認の同意なしに前記Ａ−ＭＰＤＵを受け付けさせるよう、前記サブフレームのデリミタを設定し、
物理フレーム（ＰＨＹフレーム）に、前記Ａ−ＭＰＤＵを含め、
前記ＰＨＹフレームを前記無線通信デバイスに、前記無線通信インタフェースを介してして送信させる、装置。
【請求項１１】
前記デリミタは、前記１つのＭＰＤＵが、前記Ａ−ＭＰＤＵ内でゼロより大きい長さを持つ唯一のＭＰＤＵであることを示すよう１に設定された、フレームの最後（ＥＯＦ）フィールドを含む、請求項１０に記載の装置。
【請求項１２】
前記Ａ−ＭＰＤＵは、前記無線通信デバイスからの承認を必要とする管理フレームを示す、請求項１０又は１１に記載の装置。
【請求項１３】
前記無線通信デバイスは、第１の無線通信デバイスであり、
前記Ａ−ＭＰＤＵは、第１のＡ−ＭＰＤＵであり、
前記データを取得することは、第２のＡ−ＭＰＤＵで第２の無線通信デバイスに対する送信用のデータを取得することを有し、
前記プロセッサエレクトロニクスは、前記ＰＨＹフレームに、同時にそれぞれ、前記第１のＡ−ＭＰＤＵを前記第１の無線通信デバイスに提供し、前記第２のＡ−ＭＰＤＵを前記第２の無線通信デバイスに提供する第１の空間ステアリングされたフレームおよび第２の空間ステアリングされたフレームを含めるよう構成され、
前記第１の空間ステアリングされたフレームの最後および前記第２の空間ステアリングされたフレームの最後は、同じ長さを有するように位置合わせされている、請求項１０から１２のいずれか一項に記載の装置。
【請求項１４】
前記プロセッサエレクトロニクスは、前記第１の無線通信デバイスを制御して、前記第１のＡ−ＭＰＤＵに呼応して第１の承認を送信させ、
前記第２の無線通信デバイスを制御して、前記第２のＡ−ＭＰＤＵに呼応して第２の承認を送信させ、
前記第２の承認は、前記第２の無線通信デバイスとの間で構築されたブロック承認同意に従うブロック承認である、請求項１３に記載の装置。
【請求項１５】
前記プロセッサエレクトロニクスは、対応するブロック承認同意がない場合には、前記１つのＡ−ＭＰＤＵを有するように前記ＰＨＹフレームを制限して、
前記第１の承認は、前記ＰＨＹフレームが終わった後の予め定められた期間に基づいて送信され、
前記ブロック承認は、明示的なポーリングに基づいて送信される、請求項１４に記載の装置。
【請求項１６】
前記プロセッサエレクトロニクスは、第３の無線通信デバイス用に、対応するブロック承認同意なしに、前記第３の無線通信デバイス用の１つのＭＰＤＵを含む追加のＡ−ＭＰＤＵを前記ＰＨＹフレーム内に含める段階と、
前記第３の無線通信デバイスを制御して、前記第３の無線通信デバイス用の前記１つのＭＰＤＵを含む前記追加のＡ−ＭＰＤＵに呼応して、第３の承認を送信させ、
前記第１の無線通信デバイスは、第１の明示的なポーリングの受信に基づいて前記第１の承認を送信し、
前記第３の無線通信デバイスは、第２の明示的なポーリングの受信に基づいて前記第３の承認を送信する、請求項１４又は１５に記載の装置。
【請求項１７】
前記第１の空間ステアリングされたフレームは、第１の非常に高いスループットの（ＶＨＴ）データセグメントを含み、
前記第２の空間ステアリングされたフレームは、第２の非常に高いスループットの（ＶＨＴ）データセグメントを含む、請求項１３から１６のいずれか一項に記載の装置。
【請求項１８】
前記プロセッサエレクトロニクスは、
前記サブフレームに、３２ビットの境界に基づくパッドを選択的に含め、
前記Ａ−ＭＰＤＵ内の前記サブフレームの後に１以上のパディングデリミタを選択的に含め、
前記Ａ−ＭＰＤＵに、長さが４オクテット未満の整数オクテットであるＭＡＣパッドを選択的に含め、
前記１以上のパディングデリミタのそれぞれは、４オクテット長であり、ＭＰＤＵ長がゼロであることを示す、請求項１０から１７のいずれか一項に記載の装置。
【請求項１９】
無線通信インタフェースにアクセスする回路と、
プロセッサエレクトロニクスと
を備え、
前記プロセッサエレクトロニクスは、
（ｉ）前記無線通信インタフェースを介して、複数の媒体アクセス制御（ＭＡＣ）プロトコルデータユニット（ＭＰＤＵ）を集計するためのシグナリングを規定する集計データユニットフォーマットに基づいて、情報を受信し、前記情報は、ゼロより大きい長さを持ち、集計ＭＰＤＵ（Ａ−ＭＰＤＵ）のサブフレーム内に常駐している１つのＭＰＤＵを含む前記Ａ−ＭＰＤＵを含み、
（ｉｉ）前記サブフレームのデリミタが、前記１つのＭＰＤＵが、前記Ａ−ＭＰＤＵ内でゼロより大きい長さを持つ唯一のＭＰＤＵであることを示しているかを判断し、
（ｉｉｉ）前記１つのＭＰＤＵが、前記Ａ−ＭＰＤＵ内でゼロより大きい長さを持つ唯一のＭＰＤＵであることを示している場合、対応するブロック承認の同意なしに前記Ａ−ＭＰＤＵを受け付ける、装置。
【請求項２０】
前記デリミタは、前記１つのＭＰＤＵが、前記Ａ−ＭＰＤＵ内でゼロより大きい長さを持つ唯一のＭＰＤＵであることを示すよう１に設定された、フレームの最後（ＥＯＦ）フィールドを含む、請求項１９に記載の装置。
【請求項２１】
前記プロセッサエレクトロニクスは、前記Ａ−ＭＰＤＵに呼応して承認を送信するよう構成されている、請求項１９又は２０に記載の装置。